(57)【要約】【課題】  遊技機の扉が不正に開かれることを防止する。【解決手段】  開閉可能な扉を含む筐体を備える遊技機において、前記扉の開閉を検出するセンサ５と、前記扉の実際の開回数を記憶するメインＲＦＩＤ３ａと、前記扉の開予定回数を記憶するサブＲＦＩＤ３ｂとを備える。サブＲＦＩＤ３ｂは、前記扉の開閉に先立って前記扉の開予定回数を受けてこれを記憶している。扉の実際の開回数を開予定回数と比較し、不一致のときや予定回数を超えて扉が開かれたときに不正行為と判断するので、遊技機の扉の開閉を伴う不正行為を容易に発見することができ、不正行為の防止につながる。【選択図】        図２
2005334085.tif 000002
【特許請求の範囲】
【請求項１】
開閉可能な扉を含む筐体を備える遊技機において、前記扉の開閉を検出するセンサと、前記扉の実際の開回数を記憶する第１ＲＦＩＤと、前記扉の開予定回数を記憶する第２ＲＦＩＤと、前記センサの出力に基づき前記第１ＲＦＩＤに前記扉の実際の開回数を記憶させるＲＦＩＤ書込部と、前記第１ＲＦＩＤと前記第２ＲＦＩＤとからそれぞれ情報を読み出してこれらに基づき不正行為の有無を判断する判断部と、を備え、前記第２ＲＦＩＤは、前記扉の開閉に先立って、前記扉を開ける旨の信号を送信する外部送信部から信号を受けてこれを前記扉の開予定回数として記憶することを特徴とする遊技機。
【請求項２】
鍵を用いて開閉可能な扉を含む筐体を備える遊技機において、前記鍵の有無を検出するセンサと、前記扉の実際の開回数を記憶する第１ＲＦＩＤと、前記扉の開予定回数を記憶する第２ＲＦＩＤと、前記センサの出力に基づき前記第１ＲＦＩＤに前記扉の実際の開回数を記憶させるＲＦＩＤ書込部と、前記第１ＲＦＩＤと前記第２ＲＦＩＤとからそれぞれ情報を読み出してこれらに基づき不正行為の有無を判断する判断部と、を備え、前記第２ＲＦＩＤは、前記扉の開閉に先立って、前記扉を開ける旨の信号を送信する外部送信部から信号を受けてこれを前記扉の開予定回数として記憶することを特徴とする遊技機。
【請求項３】
前記判断部は、前記第１ＲＦＩＤに記憶された実際の開回数と前記第２ＲＦＩＤに記憶された開予定回数が一致しなかったとき、不正行為と判断することを特徴とする請求項１又は請求項２記載の遊技機。
【請求項４】
前記判断部は、前記第１ＲＦＩＤに記憶された実際の開回数が前記第２ＲＦＩＤに記憶された開予定回数を超えたとき、不正行為と判断することを特徴とする請求項１又は請求項２記載の遊技機。
【請求項５】
前記第２ＲＦＩＤが、前記扉の開閉に先立って前記扉の開予定回数を受けてこれを記憶した後、予め定められた時間内に前記センサが検出しなかったとき、前記第２ＲＦＩＤの開予定回数を元に戻すか、又は前記第１ＲＦＩＤと前記第２ＲＦＩＤをそれぞれリセットするタイムアウト処理部を備えることを特徴とする請求項１乃至請求項４いずれかに記載の遊技機。
【請求項６】
開閉可能な扉を含む筐体を備える遊技機において、前記扉の開閉を検出するセンサと、前記扉の開予定フラグを記憶するＲＦＩＤと、前記ＲＦＩＤから開予定フラグを読み出してこれに基づき不正行為の有無を判断する判断部とを備え、前記ＲＦＩＤは、前記扉の開閉に先立って前記扉を開ける旨の信号を送信する外部送信部から信号を受けたときに前記開予定フラグを立て、前記判断部は、前記センサから扉の開を示す信号を受けた場合に前記ＲＦＩＤに記憶された開予定フラグを読み出し、これが立てられていなかったときに不正行為と判断することを特徴とする遊技機。
【請求項７】
前記ＲＦＩＤが、前記扉の開閉に先立って前記扉の開を開ける旨の信号を受けて前記開予定フラグを立てた後において予め定められた時間内に前記センサから信号を受けなかったとき、前記ＲＦＩＤの開予定フラグをリセットするタイムアウト処理部を備えることを特徴とする請求項６記載の遊技機。
【請求項８】
遊技機の外部から第２ＲＦＩＤへ扉の開閉に係る信号を送信するステップと、
受けた前記信号に基づき扉の開予定回数を前記第２ＲＦＩＤが記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤが記憶するステップと、
前記第１ＲＦＩＤから扉の実際の開回数を読み出すとともに、前記第２ＲＦＩＤから扉の開予定回数を読み出すステップと、
前記実際の開回数を前記開予定回数と比較するステップと、
比較結果に基づき不正行為の有無を判断するステップとを備える遊技機における不正行為防止方法。
【請求項９】
遊技機の外部から第２ＲＦＩＤへ許容できる扉の回数である閾値を示す信号を送信するステップと、
受けた前記信号に基づき閾値を前記第２ＲＦＩＤに記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤに記憶するステップと、
前記第１ＲＦＩＤから扉の実際の開回数を読み出すとともに、前記第２ＲＦＩＤから前記閾値を読み出すステップと、
前記第１ＲＦＩＤに記憶された実際の開回数が前記第２ＲＦＩＤに記憶された閾値を超えたときに不正行為と判断するステップとを備える遊技機における不正行為防止方法。
【請求項１０】
遊技機の外部からＲＦＩＤへ扉の開閉に係る信号を送信するステップと、
前記信号を受けたときに扉の開予定フラグを立てるステップと、
遊技機の扉の開閉を検出するセンサが扉の開を示す信号を出力した場合に、前記ＲＦＩＤに記憶された開予定フラグを読み出すステップと、
前記開予定フラグが立てられていなかったときに不正行為と判断するステップとを備える遊技機における不正行為防止方法。
【請求項１１】
不正行為と判断したときに、エラー報知を行うステップを備えることを特徴とする請求項８又は請求項１０記載の遊技機における不正行為防止方法。
【請求項１２】
遊技機の外部から第２ＲＦＩＤへ扉の開閉に係る信号を送信するステップと、
受けた前記信号に基づき扉の開予定回数を前記第２ＲＦＩＤが記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤが記憶するステップと、
前記第１ＲＦＩＤから扉の実際の開回数を読み出すとともに、前記第２ＲＦＩＤから扉の開予定回数を読み出すステップと、
前記実際の開回数を前記開予定回数と比較するステップと、
比較結果に基づき不正行為の有無を判断するステップとをコンピュータに実行させるためのプログラム。
【請求項１３】
遊技機の外部から第２ＲＦＩＤへ許容できる扉の回数である閾値を示す信号を送信するステップと、
受けた前記信号に基づき閾値を前記第２ＲＦＩＤに記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤに記憶するステップと、
前記第１ＲＦＩＤから扉の実際の開回数を読み出すとともに、前記第２ＲＦＩＤから前記閾値を読み出すステップと、
前記第１ＲＦＩＤに記憶された実際の開回数が前記第２ＲＦＩＤに記憶された閾値を超えたときに不正行為と判断するステップとをコンピュータに実行させるためのプログラム。
【請求項１４】
遊技機の外部からＲＦＩＤへ扉の開閉に係る信号を送信するステップと、
前記信号を受けたときに扉の開予定フラグを立てるステップと、
遊技機の扉の開閉を検出するセンサが扉の開を示す信号を出力した場合に、前記ＲＦＩＤに記憶された開予定フラグを読み出すステップと、
前記開予定フラグが立てられていなかったときに不正行為と判断するステップとをコンピュータに実行させるためのプログラム。
【請求項１５】
遊技機の外部から第２ＲＦＩＤへ扉の開閉に係る信号を送信するステップと、
受けた前記信号に基づき扉の開予定回数を前記第２ＲＦＩＤが記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤが記憶するステップと、
前記第１ＲＦＩＤから扉の実際の開回数を読み出すとともに、前記第２ＲＦＩＤから扉の開予定回数を読み出すステップと、
前記実際の開回数を前記開予定回数と比較するステップと、
比較結果に基づき不正行為の有無を判断するステップとをコンピュータに実行させるためのプログラムを記録した記録媒体。
【請求項１６】
遊技機の外部から第２ＲＦＩＤへ許容できる扉の回数である閾値を示す信号を送信するステップと、
受けた前記信号に基づき閾値を前記第２ＲＦＩＤに記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤに記憶するステップと、
前記第１ＲＦＩＤから扉の実際の開回数を読み出すとともに、前記第２ＲＦＩＤから前記閾値を読み出すステップと、
前記第１ＲＦＩＤに記憶された実際の開回数が前記第２ＲＦＩＤに記憶された閾値を超えたときに不正行為と判断するステップとをコンピュータに実行させるためのプログラムを記録した記録媒体。
【請求項１７】
遊技機の外部からＲＦＩＤへ扉の開閉に係る信号を送信するステップと、
前記信号を受けたときに扉の開予定フラグを立てるステップと、
遊技機の扉の開閉を検出するセンサが扉の開を示す信号を出力した場合に、前記ＲＦＩＤに記憶された開予定フラグを読み出すステップと、
前記開予定フラグが立てられていなかったときに不正行為と判断するステップとをコンピュータに実行させるためのプログラムを記録した記録媒体。
【発明の詳細な説明】
【技術分野】
【０００１】
この発明は、遊技機及び遊技機における不正行為防止方法並びにプログラム、記録媒体に関し、特に書き換え可能なＲＦＩＤを用いるものに関する。
【背景技術】
【０００２】
従来の遊技機で、遊技性に係る主要な制御を行うメイン基板等の電子部品に、非接触でＩＤコード等の製品情報を認識可能とするＲＦＩＤ（Radio Frequency Identification、以下「ＲＦＩＤ」という。）を装着したものがある。
【０００３】
上記ＲＦＩＤは、集積回路（記憶部を含む。）と、無線回路と、アンテナとを備える応答機である。これに対応する質問機としてＲＦＩＤから情報を読み取ったり情報を書き込んだりするための読込・書込装置（以下「ＲＦＩＤリーダ／ライター」という）がある。これは、制御部と、無線回路と、アンテナとを備えるものである。ＲＦＩＤが非接触で通信を行うための方式として、１３．５６ＭＨｚの交流磁界によるコイルの相互誘導を利用して通信する電磁結合型・電磁誘導型、２．４５ＧＨｚのマイクロ波で送受信を行うマイクロ波型がある。
【発明の開示】
【発明が解決しようとする課題】
【０００４】
遊技機における従来のＲＦＩＤの使用方法は、ＲＦＩＤに一定値のデータを記憶しておき、このデータを他のデータと照合させ、双方のデータが合致するかどうかを判断させるものであった。従来のＲＦＩＤは読み取り専用で製品出荷後にデータを書き換えることができなかった。
【０００５】
本発明は、書き換え可能なＲＦＩＤを用いて遊技機の管理を行うとするものであり、特に遊技機を設置した後に不正行為の有無を判断可能にする遊技機及び遊技機における不正行為防止方法並びにプログラム、記録媒体を提供することを目的とする。
【課題を解決するための手段】
【０００６】
この発明は、開閉可能な扉を含む筐体を備える遊技機において、前記扉の開閉を検出するセンサ（開閉検知センサ５）と、前記扉の実際の開回数を記憶する第１ＲＦＩＤ（メインＲＦＩＤ３ａ）と、前記扉の開予定回数を記憶する第２ＲＦＩＤ（サブＲＦＩＤ３ｂ）と、前記センサの出力に基づき前記第１ＲＦＩＤに前記扉の実際の開回数を記憶させるＲＦＩＤ書込部（ＲＦＩＤリーダ／ライター４）と、前記第１ＲＦＩＤと前記第２ＲＦＩＤとからそれぞれ情報を読み出してこれらに基づき不正行為の有無を判断する判断部（ＲＦＩＤリーダ／ライター４内蔵の判断部４ａ）と、を備え、前記第２ＲＦＩＤは、前記扉の開閉に先立って、前記扉を開ける旨の信号を送信する外部送信部から信号を受けてこれを前記扉の開予定回数として記憶するようにしたものである。
【０００７】
この発明は、鍵を用いて開閉可能な扉を含む筐体を備える遊技機において、前記鍵の有無を検出するセンサ（鍵挿入センサ７）と、前記扉の実際の開回数を記憶する第１ＲＦＩＤ（メインＲＦＩＤ３ａ）と、前記扉の開予定回数を記憶する第２ＲＦＩＤ（サブＲＦＩＤ３ｂ）と、前記センサの出力に基づき前記第１ＲＦＩＤに前記扉の実際の開回数を記憶させるＲＦＩＤ書込部（ＲＦＩＤリーダ／ライター４）と、前記第１ＲＦＩＤと前記第２ＲＦＩＤとからそれぞれ情報を読み出してこれらに基づき不正行為の有無を判断する判断部（ＲＦＩＤリーダ／ライター４内蔵の判断部４ａ）と、を備え、前記第２ＲＦＩＤは、前記扉の開閉に先立って、前記扉を開ける旨の信号を送信する外部送信部から信号を受けてこれを前記扉の開予定回数として記憶するようにしたものである。
【０００８】
ＲＦＩＤ（Radio Frequency Identification）とは、電子的なタグの一種であり、内部に電子的な情報をもち、読取装置と電波で通信することで物を識別する装置である。一般的には、ＲＦＩＤはアンテナと、無線回路と、情報を記憶したり読み出したりするための制御回路と、情報を記憶するメモリとを備える。ＲＦＩＤについて、移動体識別装置、リモートＩＤ、ＩＣタグ、ＩＤタグ、ＲＦタグ、無線タグ、電子タグ、トランスポンダなどさまざまな名称が用いられているが、本明細書において上記機能を実現できるものをＲＦＩＤと呼ぶことにする。
【０００９】
前記判断部は、例えば、前記第１ＲＦＩＤに記憶された実際の開回数と前記第２ＲＦＩＤに記憶された開予定回数が一致しなかったとき、不正行為と判断する。また、実際の開回数が予め与えられた開予定回数を超えたときに不正行為と判断するようにしてもよい。なお後者の場合、前記外部送信部は送信信号として開予定回数（例：０回、１回、２回、・・・）を直接送信するようにしてもよい。このような信号も前記扉を開ける旨の信号に含まれる。
【００１０】
前記第２ＲＦＩＤが、前記扉の開閉に先立って前記扉の開予定回数を受けてこれを記憶した後、予め定められた時間内に前記センサが検出しなかったとき、前記第２ＲＦＩＤの開予定回数を元に戻すか、又は前記第１ＲＦＩＤと前記第２ＲＦＩＤをそれぞれリセットするタイムアウト処理部を備えるようにしてもよい。
【００１１】
この発明は、開閉可能な扉を含む筐体を備える遊技機において、前記扉の開閉を検出するセンサと、前記扉の開予定フラグを記憶するＲＦＩＤと、前記ＲＦＩＤから開予定フラグを読み出してこれに基づき不正行為の有無を判断する判断部とを備え、前記ＲＦＩＤは、前記扉の開閉に先立って前記扉を開ける旨の信号を送信する外部送信部から信号を受けたときに前記開予定フラグを立て、前記判断部は、前記センサから扉の開を示す信号を受けた場合に前記ＲＦＩＤに記憶された開予定フラグを読み出し、これが立てられていなかったときに不正行為と判断するものである。
【００１２】
前記ＲＦＩＤが、前記扉の開閉に先立って前記扉の開を開ける旨の信号を受けて前記開予定フラグを立てた後において予め定められた時間内に前記センサから信号を受けなかったとき、前記ＲＦＩＤの開予定フラグをリセットするタイムアウト処理部を備えるようにしてもよい。
【００１３】
この発明に係る遊技機における不正行為防止方法は、
遊技機の外部から第２ＲＦＩＤへ扉の開閉に係る信号を送信するステップと、
受けた前記信号に基づき扉の開予定回数を前記第２ＲＦＩＤが記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤが記憶するステップと、
前記第１ＲＦＩＤから扉の実際の開回数を読み出すとともに、前記第２ＲＦＩＤから扉の開予定回数を読み出すステップと、
前記実際の開回数を前記開予定回数と比較するステップと、
比較結果に基づき不正行為の有無を判断するステップとを備えるものである。
【００１４】
不正行為と判断したときに、エラー報知を行うステップを備えるようにしてもよい。
【００１５】
この発明に係る遊技機における不正行為防止方法は、
遊技機の外部から第２ＲＦＩＤへ許容できる扉の回数である閾値を示す信号を送信するステップと、
受けた前記信号に基づき閾値を前記第２ＲＦＩＤに記憶するステップと、
遊技機の扉の開又はこれに相当する状態を示すセンサの信号に基づき第１ＲＦＩＤへ遊技機の扉の実際の開回数を送信するステップと、
受けた扉の実際の開回数を前記第１ＲＦＩＤに記憶するステップと、
前記第１ＲＦＩＤから扉の実際の開回数を読み出すとともに、前記第２ＲＦＩＤから前記閾値を読み出すステップと、
前記第１ＲＦＩＤに記憶された実際の開回数が前記第２ＲＦＩＤに記憶された閾値を超えたときに不正行為と判断するステップとを備えるものである。
【００１６】
この発明に係る遊技機における不正行為防止方法は、
遊技機の外部からＲＦＩＤへ扉の開閉に係る信号を送信するステップと、
前記信号を受けたときに扉の開予定フラグを立てるステップと、
遊技機の扉の開閉を検出するセンサが扉の開を示す信号を出力した場合に、前記ＲＦＩＤに記憶された開予定フラグを読み出すステップと、
前記開予定フラグが立てられていなかったときに不正行為と判断するステップとを備えるものである。
【００１７】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
また、電話回線等の有線通信媒体、マイクロ波回線等の無線通信媒体等の通信媒体を含む。インターネットもここでいう通信媒体に含まれる。
【００１８】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１９】
本発明によれば、扉の実際の開回数を開予定回数と比較し所定の場合（不一致のときや予定回数を超えて扉が開かれたとき）に不正行為と判断するので、遊技機の扉の開閉を伴う不正行為を容易に発見することができ、不正行為の防止につながる。
【発明を実施するための最良の形態】
【００２０】
発明の実施の形態１．
この発明の実施の形態に係る遊技機について図面を参照して説明する。
図１は遊技機（スロットマシン、回胴式遊技機とも呼ばれる）の正面図である。
スロットマシン１０で遊技を楽しもうとする遊技者は、まずメダル貸機（図示しない）等から遊技媒体であるメダルを借り、メダル投入装置のメダル投入口１００に直接メダルを入れる。メダル投入口１００は、スロットマシン１０の正面で略中央の高さに設けられている。
【００２１】
スロットマシン１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、メダル投入口１００に連続してメダル投入をして貯留させた貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の操作を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。６２は各種の演出を行うための液晶表示部である。
【００２２】
スロットマシン１０の内部には、後述のように、スロットマシン１０の全体の動作を制御するための制御装置が内蔵されている。制御装置は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで動作させるものであり、具体的には、スタートスイッチ３０及びストップスイッチ５０の操作に基づき回転リール４０の回転及び停止を制御するとともに、ランプやスピーカ等の表示を制御する。ＣＰＵが動作する際に必要な一時的なデータなどはＲＡＭ（記憶部：一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２３】
スタートスイッチ３０は、前述のように回転リール４０の斜め下方に位置するレバーであって、遊技メダルの投入若しくはベットスイッチ１６の操作を条件に、または、入賞判定に応じて得られる「再遊技（Ｒｅｐｌａｙ）」時には前遊技からの所定時間経過を条件に、リールユニット６０の駆動を開始させるためのものである。
【００２４】
ストップスイッチ５０は、前述のようにリールユニット６０の駆動を停止させるためのものである。具体的には、ストップスイッチ５０は、各回転リール４０に対応した三個のスイッチから構成され、各回転リール４０の下方に１個ずつ配置されているものである。回転リール４０に対応したストップスイッチ５０の操作により、当該対応した回転リール４０の回転を停止するように設定されている。
【００２５】
メダルの投入若しくはベットスイッチ１６の操作を条件に、または、前記「再遊技（Ｒｅｐｌａｙ）」時には前遊技から所定時間経過を条件に、スタートスイッチ３０を操作すると、リールユニット６０が駆動され、三個の回転リール４０が回転を開始する。その後、ストップスイッチ５０の一個を操作すると、当該対応する回転リール４０の回転が停止する。そして、ストップスイッチ５０を三個全て操作すると、三個の回転リール４０の回転が全て停止する。このとき、表示窓１３の有効入賞ライン上に、予め設定された図柄６１が停止すると入賞と判定され、図示しないホッパーユニットを介して所定枚数のメダルが払い出される。なお、メダルを払い出す代わりに、クレジットしてもよい。
【００２６】
図２はスロットマシン１０の電気的な概略構造を示すブロック図である。この図において電源系統についての表示は省略されている。スロットマシン１０は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２７】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２８】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２９】
メイン基板１にはスタートスイッチ３０，ストップスイッチ５０，リール駆動部７０，リール位置検出回路７１、ホッパー駆動部８０、ホッパー８１及びホッパー８１から払い出されたメダルの枚数を数えるためのメダル検出部８２が接続されている。サブ基板２には液晶表示装置６２の制御基板２００、スピーカ２０１、ＬＥＤ基板２０２などの周辺基板（ローカル基板）が接続されている。
【００３０】
本発明の実施の形態に係る遊技機は、さらに、メインＲＦＩＤ３ａと、サブＲＦＩＤ３ｂと、これらＲＦＩＤに書き込みを行うライターと、各ＲＦＩＤ内のデータを読み出して比較して不正行為の有無を判断する判断部（リーダ）とを備える。図２ではライターとリーダをひとつにまとめてＲＦＩＤリーダ／ライター４としている。ＲＦＩＤリーダ／ライター４はメインＲＦＩＤ３ａとサブＲＦＩＤ３ｂの両方の情報に基づき不正行為の有無を判断する判断部４ａを含む。ＲＦＩＤリーダ／ライター４には扉の開閉を検知する開閉検知センサ５からの信号が有線又は無線で入力される。本遊技機には含まれないが、図２には遊技機の外部からサブＲＦＩＤ３ｂに対して信号を送信するための外部受信部６（例えばハンディタイプのＲＦＩＤリーダ／ライター）を示している。
【００３１】
ＲＦＩＤとは電子的なタグの一種であり、内部に電子的な情報をもち、読取装置と電波で通信することで物を識別する装置である。本発明の実施の形態ではＲＦＩＤは無線で制御可能な記憶部として使用している。ＲＦＩＤは、保持する情報量が多い、離れていても認識することができる、多数のＲＦＩＤを同時に認識することができる、保持している情報量を書き換えることができる、といった特徴を備える。図示しないが、ＲＦＩＤは、アンテナと、無線回路と、情報を記憶したり読み出したりするための制御回路と、情報を記憶するメモリとを備える。
【００３２】
ＲＦＩＤリーダ／ライター４をさらに備えることを特徴とする。ＲＦＩＤリーダ／ライター４は、遊技機の筐体内の各ＲＦＩＤと通信を行い、その情報を読み取るとともに、必要に応じて情報を書き込むことができる。例えば、電磁結合型・電磁誘導型のＲＦＩＤであればコイル（アンテナ）を各部品の近くに配置することにより、ＲＦＩＤリーダ／ライター４は全てのＲＦＩＤと通信可能になる。マイクロ波型であれば、指向性アンテナを複数設けて各ＲＦＩＤに向けたり、無指向性アンテナを用いることにより、ＲＦＩＤリーダ／ライター４は全てのＲＦＩＤと通信可能になる。
【００３３】
ＲＦＩＤリーダ／ライター４は、図示しないが、アンテナと、無線回路と、ＲＦＩＤに情報を記憶させたりＲＦＩＤから情報を読み出したりするための制御回路と、情報を表示するための表示装置と、他のコンピュータと通信するためのネットワーク装置とを備える。本発明の実施の形態に係るＲＦＩＤリーダ／ライター４はその機能として判断部４ａを備える。判断部４ａは、ＲＦＩＤリーダ／ライター４に追加したＣＰＵなどのハードウエアで実現してもよいし、ＲＦＩＤリーダ／ライター４にプログラムを追加してソフトウエアで実現してもよい。
【００３４】
外部送信部６は遊技機の筐体内のサブＲＦＩＤ３ｂと通信するためのもので、例えばハンディタイプのＲＦＩＤリーダ／ライターで実現される。
【００３５】
図３は開閉検知センサ５の取り付け状態の説明図である。開閉検知センサ５は、マイクロスイッチのような機械式スイッチ、フォトインタラプタのような光学電気式スイッチ、リードスイッチのような磁気電気式スイッチである。１１は遊技機の筐体、１１ａは遊技機筐体１１の前面に設けられた開閉自在の扉、１１ｂは扉１１ａを開閉するための鍵の挿入口、１１ｃは鍵により開閉される錠本体である。図３において、開閉検知センサ５は筐体内側上部に設けられ、扉１１ａの開閉を検知する。なお、開閉検知センサ５の取り付け位置は図３の例に限定されず、筐体右側面内側や筐体内側下部に設けることもできる。あるいは扉１１ａのヒンジ部分に設けることもできる。
【００３６】
メインＲＦＩＤ３ａは、開閉検知センサ５により遊技機の扉１１ａの実際の開回数を記憶する。サブＲＦＩＤ３ｂは、外部送信部６からの信号を受けて扉の開予定回数（以下、「扉開回数」という）を記憶する。ＲＦＩＤリーダ／ライター４は、開閉検知センサ５の出力に基づきメインＲＦＩＤ３ａに扉１１ａの実際の開回数を記憶させるとともに、メインＲＦＩＤ３ａ及びサブＲＦＩＤ３ｂからそれぞれ情報を読み出してこれらに基づき不正行為の有無を判断する。ＲＦＩＤは、無線で問合せ信号を受けて記憶した情報を返信することと、無線で情報とこの記憶命令を受けて当該情報を記憶することしかできないので、ＲＦＩＤの制御及びその情報の判断のためにＲＦＩＤリーダ／ライター４が必要である。外部送信部６は扉１１ａの開閉に先立って扉の「開予定」信号をサブＲＦＩＤ３ｂへ送り、これを記憶させる。
【００３７】
本発明の実施の形態に係る遊技機の動作について図面を参照して説明する。
図４は扉を開ける前の外部送信部６とサブＲＦＩＤ３ｂの間の処理フローチャートを示し、図５は扉を開けたときの処理フローチャートを示す。図４及び図５において、メインＲＦＩＤ３ａ，サブＲＦＩＤ３ｂ、ＲＦＩＤリーダ／ライター４、開閉検知センサ５、外部送信部６における処理をそれぞれ一点鎖線で囲み、各構成間の相互作用が明確になるようにしている。
【００３８】
最初に、外部送信部６から遊技機内のサブＲＦＩＤ３ｂへ、扉をこれから開ける旨の「開予定」信号を送信する（図４のＳ１）。サブＲＦＩＤ３ｂは、当該信号を受けると（同Ｓ２）記憶している扉開回数を＋１した数字に書き換える（同Ｓ３）。これにより、サブＲＦＩＤ３ｂが記憶する扉開回数は、この時点ではメインＲＦＩＤ３ａが記憶する扉開回数よりも１だけ大きくなる。
【００３９】
図４の処理を実行した後、作業者が遊技機の扉１１ａを開けると開閉検知センサ５が動作し、「開」信号を出力する（図５のＳ１０）。この「開」信号をＲＦＩＤリーダ／ライター４が受信し（同Ｓ２１）、これを記憶させるためにメインＲＦＩＤ３ａに対して「開」信号を出力する（同Ｓ２２）。メインＲＦＩＤ３ａは「開」信号を受信し（同Ｓ１３）、記憶している扉開回数を＋１した数字に書き換える（同Ｓ１４）。
【００４０】
上記処理を実行した後、ＲＦＩＤリーダ／ライター４は判断処理を実行する。扉開回数の送信要求をメインＲＦＩＤ３ａとサブＲＦＩＤ３ｂの両方に送信する（図５のＳ２３）。メインＲＦＩＤ３ａとサブＲＦＩＤ３ｂは当該送信要求を受けると（同Ｓ１１、Ｓ１５）、扉開回数を読み出してＲＦＩＤリーダ／ライター４へ送信する（同Ｓ１２、Ｓ１６）。ＲＦＩＤリーダ／ライター４は２つの扉開回数を受信すると（同Ｓ２４）、これらを比較し（同Ｓ２５）、一致していれば異常なしとして判断処理を終了する。一致していなければ不正に扉が開けられたと判断して、エラー報知及び／又は遊技の受付を停止する（同Ｓ２６）。
【００４１】
要するに、ホールの係員が扉を開ける際には、先ず、外部送信部６を操作して、遊技機のサブＲＦＩＤ３ｂに扉の開予定信号を送信する（あるいはＲＦＩＤリーダ／ライター４へ送ってそこからサブＲＦＩＤに書き込むようにしてもよい）。この信号を受信すると、サブＲＦＩＤ３ｂは扉開回数に１を加えた数字に書き換える。その後、店員がキーにより扉１１ａを開け、これを開閉検知センサ５が検知し、メインＲＦＩＤ３ａの扉開回数に１を加えた数字に書き換える。このように、正式な手順により扉を開けた場合には、メインＲＦＩＤ３ａとサブＲＦＩＤ３ｂ内の扉開回数は、図６（ａ）のように一致する。したがって、判断部４ａは不正行為無しとして、エラーを発生しない。
【００４２】
これに対し、不正に設定変更をしようとする者はいきなり扉を開ける（図４に示す、扉を開ける前に外部送信部によって「開予定」信号をサブＲＦＩＤ３ｂに送ることをしない）。そのため、メインＲＦＩＤ３ａの扉開回数とサブＲＦＩＤ３ｂの扉開回数が一致しなくなる（具体的には、メインＲＦＩＤ３ａの扉開回数がサブＲＦＩＤ３ｂの扉開回数を超えてしまう）。このように、扉を開ける前に、外部送信部による信号の送信を行わない不正な手順により扉を開けた場合には、図６（ｂ）のように扉開回数が一致しなくなる。そこでこのような状態のとき、判断部４ａは不正行為有りとしてエラーを発生させる（警告音を出す。あるいは遊技機の遊技の受け付けを停止する等）。これにより不正行為を防止することができる。
【００４３】
遊技機の扉に開閉センサを設けるだけでは、扉が開閉されていることは判断可能であるものの、店員により正式に開けられたものか、不正に設定変更等する者により不正に開けられたものなのかは判断できなかった。本発明の実施の形態１によれば、扉が店員により正式に開けられたものか、不正行為者により開けられたものかを判断でき、不正行為の場合にエラー報知を行うことにより、設定変更等の不正行為を未然に防止することができる。
【００４４】
なお、図５のＳ２５において、実際の開回数が予め与えられた開予定回数を超えたときに不正行為と判断するようにしてもよい。例えば、ホールの営業開始前に開予定回数を２とし、この場合は扉を開けることが２回まで許容されるが、ホール営業終了までに２回を超えて扉が開けられたときエラーとするような場合である。この場合、図４のＳ３は「開予定信号を扉開回数として記憶」という処理になる。このやり方は、扉を開ける際に毎回外部送信部６から信号を送るのではなく、例えばホールの営業開始前に扉を開ける予定回数（許容できる扉の開回数である閾値）をサブＲＦＩＤ３ｂに記憶させるというものである。この作業を行うために外部送信部６を使用してもよいし、図示しないホールコンピュータから各遊技機のＲＦＩＤリーダ／ライター４に有線又は無線で一斉に信号を送信してもよい。このやり方によれば、扉を開けるための外部送信部６を常に持ち歩く必要はなくなるとともに、初期値を任意に選択できるのでホールごと、営業日ごとに違ったセキュリティレベルを設定することができる。例えば開予定回数を０にすれば営業中に扉を開いたときに直ちにエラーが報知され、セキュリティレベルを高くすることができる。本発明の実施の形態はＲＦＩＤを用いているのでセキュリティレベルは遊技機ごとに設定可能であり、柔軟性に富む。
【００４５】
発明の実施の形態２．
発明の実施の形態１は、開閉検知センサ５を設けて扉の開閉で不正行為を判断していたが、これに代えて（またはこれとともに）、図７に示すように、鍵挿入センサ７を設けて鍵穴に対するキーの差込回数により判断してもよい。鍵挿入センサ７は、例えば図３の鍵穴１１ｂ又は錠本体１１ｃに設けられる機械的又は電気的スイッチであり、鍵穴１１ｂに鍵が差し込まれたことを検出するものである。
【００４６】
発明の実施の形態２の処理は、発明の実施の形態１の処理とほぼ同様である。図４の「開予定」信号送信の後、図５の処理が実行される。図５を発明の実施の形態２に適合するために、「開閉検知センサ」を「鍵挿入センサ」とし、「扉開回数」を「鍵挿入回数」とすればよい。
【００４７】
発明の実施の形態２の場合、エラーを出さないようにするための正規な手順として、図４に従って外部送信部により鍵を差し込む旨の信号を送ってから、鍵穴１１ｂに図示しない鍵を差し入れるようにする。この場合、エラーは発生しない。これに対し、外部送信部により信号を送信しないでいきなり鍵穴１１ｂに鍵を差し込んだらエラーが発生する。
【００４８】
発明の実施の形態３．
発明の実施の形態１及び２において、店員が扉を開けようとして外部送信部により「開」信号を送ったままどこかに行ってしまって結局扉を開けなかった場合を考えると、メインＲＦＩＤ３ａとサブＲＦＩＤ３ｂの開回数が一致しなくなる。図６（ｂ）とは逆に、サブＲＦＩＤ３ｂの開回数の方がメインＲＦＩＤ３ａの開回数よりも多くなる。このため、外部送信部から「開」信号が送られてきて、サブＲＦＩＤ３ｂの開回数が書き換えられた後、所定時間（例えば６０秒）が経過しても、扉が開けられない場合には、メインＲＦＩＤ３ａとサブＲＦＩＤ３ｂの開回数をリセットしたり、あるいは、サブＲＦＩＤ３ｂの開回数を書き換え前の回数に書き換えるように制御したほうがよい。
【００４９】
上記処理を行うようにしたフローチャートを図８に示す。図４及び図５と同一・類似処理については、図８において同一符号を付してある。
【００５０】
図８を参照して発明の実施の形態３に特有の処理について説明する。
サブＲＦＩＤ３ｂに対して「開予定」信号を送信するが、当該信号をＲＦＩＤリーダ／ライター４でも受信する（図８のＳ２７）。これを受けてタイマーをセットし（同Ｓ２８）、所定時間内に「開」信号を受信したかどうかを判断する（同Ｓ２９）。所定時間内に受信した場合は図４の場合と同じようにＳ２１以降の処理を行う。これに対し所定時間以内に受信しない場合はタイムアウトになる（同Ｓ３０でＹＥＳ）。扉開回数のリセット信号をメインＲＦＩＤ３ａとサブＲＦＩＤ３ｂの両方に送り（同Ｓ３１）、それぞれの記憶内容をリセットする（同Ｓ４、Ｓ１７）。又は、直前の値に戻すような命令をサブＲＦＩＤ３ｂへ送る（この場合メインＲＦＩＤ３ａへの送信は不要である）。
【００５１】
上記処理を行うのは図示しないタイムアウト処理部であるが、これをＲＦＩＤリーダ／ライター４内に設けることもできるし、別に設けることもできる。図８はタイムアウト処理部をＲＦＩＤリーダ／ライター４内に設けた例を示している。
【００５２】
また、メイン・サブ内の開回数があまりに大きな値になっても意味が無いので、電源ＯＮから所定時間（ホールの営業時間である１３時間等）が経過した後に、メイン・サブの開回数データを全てリセットするようにしてもよい。図８のＳ３０で上記判断を行うようにすればよい。
【００５３】
発明の実施の形態４．
上記発明の実施の形態は２つのＲＦＩＤを使用するものであったが、扉の開回数そのものを比較しなくてもよい場合は、より簡易な構成を採用することができる。この発明の実施の形態４に係る遊技機のブロック図を図９に示し、処理フローチャートを図１０に示す。
【００５４】
図９において、３は扉の開予定フラグを記憶するＲＦＩＤである。外部送信部６は、ＲＦＩＤ３に対して開予定信号を送信する（図１０のＳ１）。この信号を受けて（同Ｓ２）、ＲＦＩＤ３は開予定フラグを立てる（セットする）（同Ｓ３ｂ）。開閉検知センサ５が扉開の信号を出力したときに（同Ｓ１０）、ＲＦＩＤリーダ／ライタ４はＲＦＩＤ３へ問合せの信号を送信し（同Ｓ２３ｂ）、ＲＦＩＤ３から開予定フラグを受信する（同Ｓ２４ｂ）。開予定フラグに基づきＲＦＩＤリーダ／ライタ４は不正行為であるかどうか判断する（同Ｓ２５ｂ）。
【００５５】
開予定フラグは、例えば１ビットのデータであり、外部送信部６から信号を受けたときにビットに「１」をセットする。そうでなければビットは「０」になっている。なお、ＲＦＩＤリーダ／ライタ４は読み出し機能を備えればよく、上記発明の実施の形態１の場合とは異なり書込み機能は不要である。
【００５６】
なお、以上の説明において回胴式遊技機を例に挙げたが本発明はこれに限定されない。弾球遊技機のような他の遊技機にも適用できるのは言うまでも無い。
【００５７】
本発明は、以上の実施の形態に限定されることなく、特許請求の範囲に記載された発明の範囲内で、種々の変更が可能であり、それらも本発明の範囲内に包含されるものであることは言うまでもない。
【００５８】
また、本明細書において、部とは必ずしも物理的手段を意味するものではなく、各部の機能が、ソフトウエアによって実現される場合も包含する。さらに、一つの部の機能が、二つ以上の物理的手段により実現されても、若しくは、二つ以上の部の機能が、一つの物理的手段により実現されてもよい。
【図面の簡単な説明】
【００５９】
【図１】遊技機（スロットマシン）の正面図である。
【図２】本発明の実施の形態１に係る遊技機のブロック図である。
【図３】本発明の実施の形態１に係る開閉検知センサの取り付け状態の説明図である。
【図４】本発明の実施の形態１に係る動作フローチャートである。
【図５】本発明の実施の形態１に係る動作フローチャートである（続き）。
【図６】本発明の実施の形態１の動作説明図である。
【図７】本発明の実施の形態２に係る遊技機のブロック図である。
【図８】本発明の実施の形態３に係る動作フローチャートである。
【図９】本発明の実施の形態４に係る遊技機のブロック図である。
【図１０】本発明の実施の形態４に係る動作フローチャートである。
【符号の説明】
【００６０】
１    メイン基板
２    サブ基板
３    ＲＦＩＤ
３ａ  メインＲＦＩＤ（第１ＲＦＩＤ）
３ｂ  サブＲＦＩＤ（第２ＲＦＩＤ）
４    ＲＦＩＤリーダ／ライター（ＲＦＩＤ書込部、判断部４ａを内蔵）
４ａ  判断部
５    扉の開閉検知センサ
６    外部送信部
７    鍵挿入センサ
１０    スロットマシン
１１    筐体
１１ａ  前面の扉
１１ｂ  鍵の挿入穴
１１ｃ  錠本体
１２    表示窓
１３    図柄表示窓
１６    ベットスイッチ
１７    精算スイッチ
３０    スタートスイッチ
４０    回転リール
４２    リールテープ
５０    ストップスイッチ
６０    リールユニット
６１    図柄
６２    液晶表示部
７０    リール駆動部
７１    リール位置検出回路
８０    ホッパー駆動部
８１    ホッパー
８２    メダル検出部
１００  メダル投入口
２００  液晶制御基板
２０１  スピーカ
２０２  ＬＥＤ基板
３０４  メダル払い出し口
３１１  メダル受け部（下皿）
【図１】
2005334085.tif 000003
【図２】
2005334085.tif 000004
【図３】
2005334085.tif 000005
【図４】
2005334085.tif 000006
【図５】
2005334085.tif 000007
【図６】
2005334085.tif 000008
【図７】
2005334085.tif 000009
【図８】
2005334085.tif 000010
【図９】
2005334085.tif 000011
【図１０】
2005334085.tif 000012